(57)【要約】【課題】加速度センサーを効率的に活用したバス切り替え装置、それを用いた携帯端末、バス切り替え方法、及び携帯端末の制御方法を提供する。【解決手段】加速度センサーと、ハードウェアと、ハードウェアを切り替えるためのセレクタと、加速度センサーからの信号に基づいてセレクタを制御する制御手段とを備えたことにより、加速度センサーを効率的に活用したバス切り替え装置、それを用いた携帯端末、バス切り替え方法、及び携帯端末の制御方法の提供を実現することができる。【選択図】図１
2008244573.tif 000002
【特許請求の範囲】
【請求項１】
加速度センサーと、ハードウェアと、該ハードウェアを切り替えるためのセレクタと、前記加速度センサーからの信号に基づいて前記セレクタを制御する制御手段とを備えたことを特徴とするバス切り替え装置。
【請求項２】
加速度センサーと、ハードウェアと、汎用インターフェースと、該汎用インターフェースと該ハードウェアとを接続するバスを切り替えるためのセレクタと、前記加速度センサーからの信号に基づいて前記セレクタを制御する制御手段とを備えたことを特徴とするバス切り替え装置。
【請求項３】
前記加速度センサーの起動及び停止を行うための操作手段を備えたことを特徴とする請求項１または２記載のバス切り替え装置。
【請求項４】
加速度センサー、ハードウェア、該ハードウェアを切り替えるためのセレクタ、及び前記加速度センサーからの信号に基づいて前記セレクタを制御する制御手段を有するバス切り替え装置と、無線高周波部と、ベースバンド部とを備えたことを特徴とする携帯端末。
【請求項５】
加速度センサー、ハードウェア、汎用インターフェース、該汎用インターフェースと前記ハードウェアとを接続するバスを切り替えるためのセレクタ、及び前記加速度センサーからの信号に基づいて前記セレクタを制御する制御手段を有するバス切り替え装置と、無線高周波部と、ベースバンド部とを備えたことを特徴とする携帯端末。
【請求項６】
前記加速度センサーの起動及び停止を行うための操作手段を備えたことを特徴とする請求項４または５記載の携帯端末。
【請求項７】
前記ハードウェアは、ＧＰＳ、ＲＦＩＤ及びＩＲＤＡを含むことを特徴とする請求項４から６のいずれか１項記載の携帯端末。
【請求項８】
加速度センサーからの信号に基づいてセレクタによりハードウェアを切り替えることを特徴とするバス切り替え方法。
【請求項９】
加速度センサーからの信号に基づいてセレクタにより汎用インターフェースとハードウェアとを接続するバスを切り替えることを特徴とするバス切り替え方法。
【請求項１０】
操作手段により前記加速度センサーの起動及び停止を行うことを特徴とする請求項７または８記載のバス切り替え方法。
【請求項１１】
加速度センサーからの信号に基づいて姿勢を検知し、その姿勢に対応したハードウェアをセレクタにより切り替えて作動させることを特徴とする携帯端末の制御方法。
【請求項１２】
加速度センサーからの信号に基づいて姿勢を検知し、その姿勢に対応したハードウェアをセレクタにより汎用インターフェースとハードウェアとを接続するバスを切り替えて前記ハードウェアを作動させることを特徴とする携帯端末の制御方法。
【請求項１３】
操作手段により前記加速度センサーの起動及び停止を行うことを特徴とする請求項１１または１２記載の携帯端末の制御方法。
【発明の詳細な説明】
【技術分野】
【０００１】
本発明は、バス切り替え装置、それを用いた携帯端末、バス切り替え方法、及び携帯端末の制御方法に関する。
【背景技術】
【０００２】
近年の組み込みシステムは、多くの機能を実現するため、複数のハードウェアモジュールを搭載している。それぞれのハードウェアモジュールは、多くの場合、統合ＬＳＩ（Large Scale Integrated circuit：大規模集積回路）の汎用ＩＦ（Inter Face：インターフェース）に接続され、ＬＳＩ内のＣＰＵ（Central Processing Unit：中央演算処理装置）で制御して使用している（例えば、特許文献１〜４参照。）。
【特許文献１】特開２００１−０４５１０２号公報
【特許文献２】特開２００２−０７３２４７号公報
【特許文献３】特開２００２−３４４３７８号公報
【特許文献４】特開２００６−０４１５９２号公報
【発明の開示】
【発明が解決しようとする課題】
【０００３】
しかしながら、上述した従来技術では加速度センサーを用いてはいるもののＧＰＳ（Global Positional System）やＲＦＩＤ(Radio Frequency Identification)等との接続は行われておらず、効率的に活用されていなかった。
そこで、本発明の目的は、加速度センサーを効率的に活用したバス切り替え装置、それを用いた携帯端末、バス切り替え方法、及び携帯端末の制御方法を提供することにある。
【課題を解決するための手段】
【０００４】
上記課題を解決するため、請求項１記載の発明は、加速度センサーと、ハードウェアと、該ハードウェアを切り替えるためのセレクタと、前記加速度センサーからの信号に基づいて前記セレクタを制御する制御手段とを備えたことを特徴とする。
【０００５】
請求項１記載の発明によれば、加速度センサーからの信号に基づいてセレクタを制御することにより、ハードウェアが切り替え自在に接続されるので、加速度センサーを効率的に活用することができる。
【０００６】
請求項２記載の発明は、加速度センサーと、ハードウェアと、汎用インターフェースと、該汎用インターフェースと該ハードウェアとを接続するバスを切り替えるためのセレクタと、前記加速度センサーからの信号に基づいて前記セレクタを制御する制御手段とを備えたことを特徴とする。
【０００７】
請求項２記載の発明によれば、加速度センサーからの信号に基づいてセレクタを制御することにより、汎用インターフェースとハードウェアとを接続するバスが切り替え自在に接続されるので、加速度センサーを効率的に活用することができる。
【０００８】
請求項３記載の発明は、請求項１または２記載の発明において、前記加速度センサーの起動及び停止を行うための操作手段を備えたことを特徴とする。
【０００９】
請求項３記載の発明によれば、加速度センサーの起動及び停止を行うための操作手段を備えたことにおり、操作者の都合に合わせて加速度センサーが活用される。
【００１０】
請求項４記載の発明は、加速度センサー、ハードウェア、該ハードウェアを切り替えるためのセレクタ、及び前記加速度センサーからの信号に基づいて前記セレクタを制御する制御手段を有するバス切り替え装置と、無線高周波部と、ベースバンド部とを備えたことを特徴とする。
【００１１】
請求項４記載の発明によれば、加速度センサーからの信号に基づいてセレクタを制御することにより、ハードウェアが切り替え自在に接続されるので、加速度センサーを効率的に活用した携帯端末を実現することができる。
【００１２】
請求項５記載の発明は、加速度センサー、ハードウェア、汎用インターフェース、該汎用インターフェースと前記ハードウェアとを接続するバスを切り替えるためのセレクタ、及び前記加速度センサーからの信号に基づいて前記セレクタを制御する制御手段を有するバス切り替え装置と、無線高周波部と、ベースバンド部とを備えたことを特徴とする。
【００１３】
請求項５記載の発明によれば、加速度センサーからの信号に基づいてセレクタを制御することにより、汎用インターフェースとハードウェアとを接続するバスが切り替え自在に接続されるので、加速度センサーを効率的に活用した携帯端末を実現することができる。
【００１４】
請求項６記載の発明は、請求項４または５記載の発明において、前記加速度センサーの起動及び停止を行うための操作手段を備えたことを特徴とする。
【００１５】
請求項６記載の発明によれば、加速度センサーの起動及び停止を行うための操作手段を備えたことにおり、操作者の都合に合わせて加速度センサーが活用される。
【００１６】
請求項７記載の発明は、請求項４から６のいずれか１項記載の発明において、前記ハードウェアは、ＧＰＳ、ＲＦＩＤ及びＩＲＤＡを含むことを特徴とする。
【００１７】
請求項８記載の発明は、加速度センサーからの信号に基づいてセレクタによりハードウェアを切り替えることを特徴とする。
【００１８】
請求項８記載の発明によれば、加速度センサーからの信号に基づいてセレクタを制御することにより、ハードウェアが切り替え自在に接続されるので、加速度センサーを効率的に活用することができる。
【００１９】
請求項９記載の発明は、加速度センサーからの信号に基づいてセレクタにより汎用インターフェースとハードウェアとを接続するバスを切り替えることを特徴とする。
【００２０】
請求項９記載の発明によれば、加速度センサーからの信号に基づいてセレクタを制御することにより、汎用インターフェースとハードウェアとを接続するバスが切り替え自在に接続されるので、加速度センサーを効率的に活用することができる。
【００２１】
請求項１０記載の発明は、請求項７または８記載の発明において、操作手段により前記加速度センサーの起動及び停止を行うことを特徴とする。
【００２２】
請求項１０記載の発明によれば、加速度センサーの起動及び停止を行うための操作手段を備えたことにおり、操作者の都合に合わせて加速度センサーが活用される。
【００２３】
請求項１１記載の発明は、加速度センサーからの信号に基づいて姿勢を検知し、その姿勢に対応したハードウェアをセレクタにより切り替えて作動させることを特徴とする。
【００２４】
請求項１１記載の発明によれば、加速度センサーからの信号に基づいて姿勢を検知し、その姿勢に対応したハードウェアをセレクタにより切り替えて作動させることにより、加速度センサーを効率的に活用することができる。
【００２５】
請求項１２記載の発明は、加速度センサーからの信号に基づいて姿勢を検知し、その姿勢に対応したハードウェアをセレクタにより汎用インターフェースとハードウェアとを接続するバスを切り替えて前記ハードウェアを作動させることを特徴とする。
【００２６】
請求項１２記載の発明によれば、加速度センサーからの信号に基づいて姿勢を検知し、その姿勢に対応したハードウェアをセレクタにより汎用インターフェースとハードウェアとを接続するバスを切り替えて前記ハードウェアを作動させることにより、加速度センサーを効率的に活用することができる。
【００２７】
請求項１３記載の発明は、請求項１１または１２記載の発明において、操作手段により前記加速度センサーの起動及び停止を行うことを特徴とする。
【００２８】
請求項１３記載の発明によれば、加速度センサーの起動及び停止を行うための操作手段を備えたことにおり、操作者の都合に合わせて加速度センサーが活用される。
【発明の効果】
【００２９】
本発明によれば、加速度センサーと、ハードウェアと、ハードウェアを切り替えるためのセレクタと、加速度センサーからの信号に基づいてセレクタを制御する制御手段とを備えたことにより、加速度センサーを効率的に活用したバス切り替え装置、それを用いた携帯端末、バス切り替え方法、及び携帯端末の制御方法の提供を実現することができる。
【発明を実施するための最良の形態】
【００３０】
〔特徴〕
本発明は、ＬＳＩの有する汎用ＩＦに複数のモジュールを接続したときに、加速度センサーでシステムの傾きを検知し、接続したモジュール類の中から動作させるモジュールを傾きに応じて切り替えることを特徴とする。
【００３１】
本発明に係るバス切り替え装置の一実施の形態は、加速度センサーと、ハードウェアと、ハードウェアを切り替えるためのセレクタと、加速度センサーからの信号に基づいてセレクタを制御する制御手段とを備えたことを特徴とする。
【００３２】
上記構成によれば、加速度センサーからの信号に基づいてセレクタを制御することにより、ハードウェアが切り替え自在に接続されるので、加速度センサーを効率的に活用することができる。
【００３３】
ここで、加速度センサーとしては、圧電型、動電型、歪みゲージ型、半導体型のいずれの加速度センサーを用いてもよい。
また、ハードウェアとしては、後述するように例えば、ＧＰＳ、ＲＦＩＤが挙げられる。
また、セレクタとしては、例えば、マルチプレクサ、アナログスイッチが挙げられるが、ＮＡＮＤゲート及びＮＯＲゲートを組み合わせてもよい。
また、制御手段としては、ＣＰＵが挙げられる。
【００３４】
本発明に係るバス切り替え装置の他の実施の形態は、加速度センサーと、ハードウェアと、汎用インターフェースと、汎用インターフェースとハードウェアとを接続するバスを切り替えるためのセレクタと、加速度センサーからの信号に基づいてセレクタを制御する制御手段とを備えたことを特徴とする。
【００３５】
上記構成によれば、加速度センサーからの信号に基づいてセレクタを制御することにより、汎用インターフェースとハードウェアとを接続するバスが切り替え自在に接続されるので、加速度センサーを効率的に活用することができる。
【００３６】
本発明に係るバス切り替え装置の他の実施の形態は、上記構成に加え、加速度センサーの起動及び停止を行うための操作手段を備えたことを特徴とする。
【００３７】
上記構成によれば、加速度センサーの起動及び停止を行うための操作手段を備えたことにおり、操作者の都合に合わせて加速度センサーが活用される。
【００３８】
本発明に係る携帯端末の一実施の形態は、加速度センサー、ハードウェア、ハードウェアを切り替えるためのセレクタ、及び加速度センサーからの信号に基づいてセレクタを制御する制御手段を有するバス切り替え装置と、無線高周波部と、ベースバンド部とを備えたことを特徴とする。
【００３９】
上記構成によれば、加速度センサーからの信号に基づいてセレクタを制御することにより、ハードウェアが切り替え自在に接続されるので、加速度センサーを効率的に活用した携帯端末を実現することができる。
【００４０】
本発明に係る携帯端末の他の実施の形態は、加速度センサー、ハードウェア、汎用インターフェース、汎用インターフェースとハードウェアとを接続するバスを切り替えるためのセレクタ、及び加速度センサーからの信号に基づいてセレクタを制御する制御手段を有するバス切り替え装置と、無線高周波部と、ベースバンド部とを備えたことを特徴とする。
【００４１】
上記構成によれば、加速度センサーからの信号に基づいてセレクタを制御することにより、汎用インターフェースとハードウェアとを接続するバスが切り替え自在に接続されるので、加速度センサーを効率的に活用した携帯端末を実現することができる。
【００４２】
本発明に係る携帯端末の他の実施の形態は、上記構成に加え、加速度センサーの起動及び停止を行うための操作手段を備えたことを特徴とする。
【００４３】
上記構成によれば、加速度センサーの起動及び停止を行うための操作手段を備えたことにおり、操作者の都合に合わせて加速度センサーが活用される。
【００４４】
本発明に係る携帯端末の他の実施の形態は、上記構成に加え、ハードウェアは、ＧＰＳ、ＲＦＩＤ及びＩＲＤＡを含むことを特徴とする。
【００４５】
本発明に係るバス切り替え方法の一実施の形態は、加速度センサーからの信号に基づいてセレクタによりハードウェアを切り替えることを特徴とする。
【００４６】
上記構成によれば、加速度センサーからの信号に基づいてセレクタを制御することにより、ハードウェアが切り替え自在に接続されるので、加速度センサーを効率的に活用することができる。
【００４７】
本発明に係るバス切り替え方法の他の実施の形態は、加速度センサーからの信号に基づいてセレクタにより汎用インターフェースとハードウェアとを接続するバスを切り替えることを特徴とする。
【００４８】
上記構成によれば、加速度センサーからの信号に基づいてセレクタを制御することにより、汎用インターフェースとハードウェアとを接続するバスが切り替え自在に接続されるので、加速度センサーを効率的に活用することができる。
【００４９】
本発明に係るバス切り替え方法の他の実施の形態は、上記構成に加え、操作手段により前記加速度センサーの起動及び停止を行うことを特徴とする。
【００５０】
上記構成によれば、加速度センサーの起動及び停止を行うための操作手段を備えたことにおり、操作者の都合に合わせて加速度センサーが活用される。
【００５１】
本発明に係る携帯端末の制御方法の一実施の形態は、加速度センサーからの信号に基づいて姿勢を検知し、その姿勢に対応したハードウェアをセレクタにより切り替えて作動させることを特徴とする。
【００５２】
上記構成によれば、加速度センサーからの信号に基づいて姿勢を検知し、その姿勢に対応したハードウェアをセレクタにより切り替えて作動させることにより、加速度センサーを効率的に活用することができる。
【００５３】
本発明に係る携帯端末の制御方法の他の実施の形態は、加速度センサーからの信号に基づいて姿勢を検知し、その姿勢に対応したハードウェアをセレクタにより汎用インターフェースとハードウェアとを接続するバスを切り替えてハードウェアを作動させることを特徴とする。
【００５４】
上記構成によれば、加速度センサーからの信号に基づいて姿勢を検知し、その姿勢に対応したハードウェアをセレクタにより汎用インターフェースとハードウェアとを接続するバスを切り替えて前記ハードウェアを作動させることにより、加速度センサーを効率的に活用することができる。
【００５５】
本発明に係る携帯端末の制御方法の他の実施の形態は、上記構成に加え、操作手段により加速度センサーの起動及び停止を行うことを特徴とする。
【００５６】
上記構成によれば、加速度センサーの起動及び停止を行うための操作手段を備えたことにおり、操作者の都合に合わせて加速度センサーが活用される。
【００５７】
ここで、本発明では、特定の傾きの状態で使用することの多いハードウェアモジュールをその傾きのときにのみ使用できるようセレクタで切り替えることを提案した。これによりユーザーは機能を使うためにシステムを傾ける必要があるという制約がでるものの、複数のハードウェアモジュールをシステムに搭載できるようになるというメリットがある。
【００５８】
なお、上述した実施の形態は、本発明の好適な実施の形態の一例を示すものであり、本発明はそれに限定されることなく、その要旨を逸脱しない範囲内において、種々変形実施が可能である。
【実施例１】
【００５９】
〔構成〕
図１を参照し、本実施例の構成について説明する。
図１は、本発明に係るバス切り替え装置の一実施例を示すブロック図である。
図１を参照すると、本実施例はＬＳＩ１−１に内蔵されるＣＰＵ１−２と汎用ＩＦ１−３を有し、ＬＳＩ（１−１）外部に加速度センサー１−４とセレクタ１−５とを接続している。加速度センサー１−４は、本実施例を搭載したシステムの傾き情報を検知し、その傾き情報をＣＰＵ１−２に通知する機能を持つ。汎用ＩＦ１−３から結線されるバスはセレクタ１−５に接続され、セレクタ１−５の先に複数のハードウェアモジュール１−６、１−７、１−８が接続される。
【００６０】
セレクタ１−５は、汎用ＩＦ１−３とハードウェアモジュール１−６、１−７、１−８のいずれか１つと接続され、接続先の切替はＣＰＵ１−２からの接続先切替命令により、切替を実行する機能を持つ。ここでは例として３つのハードウェアモジュール（以下ＨＷと称す。）を接続している。
【００６１】
〔動作〕
次に本実施例の動作について図１および図２を用いて説明する。
図２は、図１に示したバス切り替え装置の動作を示すフローチャートの一例である。
図１に示したバス切り替え装置は、加速度センサーが傾きが変化したか否かを検知し（ステップＳ１）、傾きの変化を加速度センサーが検知すると（ステップＳ１／Ｙｅｓ）、検知した傾き情報をＣＰＵに通知する（ステップＳ２）。
加速度センサーが傾きが変化したことを検知しないときは（ステップＳ１／Ｎｏ）は待機する。
傾き情報をＣＰＵが受信すると、その傾きに応じて、汎用ＩＦとＨＷとの接続先を切り替えるため、接続先切り替え情報をセレクタに対して通知する（ステップＳ３）。どのような傾き情報のときにセレクタをどの接続先に切り替えるかについてはシステム構築時にあらかじめ記録しておく必要がある。接続先切り替え情報をセレクタが受信すると、セレクタは汎用ＩＦとＨＷ１，２，３それぞれとをあらかじめ記録しておいた切り替え情報に基づき切り替え（ステップＳ４）、汎用ＩＦと接続先ＨＷに適した通信を行う（ステップＳ５）。ただしく接続先が切り替わったあと、汎用IＩＦは接続先に応じた通信を従来どおり行うことができる。
【実施例２】
【００６２】
次に具体的な使用例を図３、図４（ａ）、（ｂ）、図５を用いて、本実施例の動作および効果について説明する。
図３は、本発明に係るバス切り替え装置の他の実施例を示すブロック図の一例であり、汎用ＩＦに接続するＨＷをＧＰＳ３−６とＲＦＩＤ３−７とした場合の例である。また本システムを携帯電話に搭載した例を図４（ａ）、（ｂ）に示している。
図４（ａ）は、図１に示したバス切り替え装置を用いた携帯端末としての携帯電話をかばんの中に縦置きで持ち歩く場合を示す概念図であり、図４（ｂ）は、図１に示したバス切り替え装置を用いた携帯端末としての携帯電話を横向きにして、ＲＦＩＤリーダライタに触れる場合を示す概念図である。
図３において、ＧＰＳ３−６は、システムの位置情報を衛星から取得する機能を有しており、ＲＦＩＤ３−７は非接触ＩＣカードとして専用のＲＦＩＤリーダライタに近づけることで情報の送受信を行う機能を有している。
ＲＦＩＤの使用例としてＦｅｌｉｃａ（登録商標）、Ｓｕｉｃａ（登録商標）、ＩＣＯＣＡ（登録商標）、Ｅｄｙ（登録商標）、ＰＡＳＭＯ（登録商標）などがある。また、システム構築時にＧＰＳ３−６はシステムが縦状態のときに使用し、ＲＦＩＤ３−７はシステムが横状態のときに使用するものとし、セレクタの切り替え時にこの情報を使用する。
【００６３】
図５は、図３に示したバス切り替え装置の動作を示すフローチャートの一例である。
図５において、加速度センサーの傾きが変化したか否かを検知し（ステップＳ１０）、加速度センサーの傾きが変化したことを検知すると（ステップＳ１０／Ｙｅｓ）、加速度センサーがＣＰＵへ傾き情報を通知する（ステップＳ１１）。
加速度センサーは、システムの傾きが横向きか縦向きかを検知し（ステップＳ１２）、システムの傾きが図４（ａ）に示すように縦向きであった場合（ステップＳ１３／縦向き）、その情報をＣＰＵからセレクタに通知し（ステップＳ１６）、セレクタは汎用ＩＦがＧＰＳと接続されるよう切り替え（ステップＳ１７）、汎用ＩＦと接続先がＧＰＳとして通信を行う（ステップＳ１８）。
【００６４】
また、システムが図４（ｂ）に示すように横向きであることを検知した場合（ステップＳ１２／横向き）、システムが横向きであることをＣＰＵからセレクタに通知し（ステップＳ１３）、セレクタは汎用ＩＦとＲＦＩＤが接続されるように切り替え（ステップＳ１４）、汎用ＩＦと接続先がＲＦＩＤとして通信を行う（ステップＳ１５）。
すなわちセレクタが汎用ＩＦの接続先を切り替えたあとは、従来どおり通信を実行する。
【００６５】
〔効果の説明〕
以上のように、本実施例によれば加速度情報の傾き情報に応じてセレクタの接続先を切り替えることで、１つの汎用ＩＦに複数のＨＷを接続してシステムを構築することができる。特にシステムの使用法として、特定の傾きで使用することがわかっているシステムの場合に本発明は効果的である。ユーザーがある機能を使用するために、その機能を有効にするようシステムを傾かせる必要があるものの、より多くのＨＷをシステムに搭載できるという効果がある。
【実施例３】
【００６６】
これまで加速度センサーの傾き情報をもとにセレクタを切り替える方法について説明したが、発明の他の実施例として加速度センサーの速度情報をもとにセレクタを切り替える方法について図６、図７（ａ）、（ｂ）、図８を用いて説明する。図７（ａ）は、図６に示したバス切り替え装置を用いた携帯端末としての携帯電話（システム）が移動中の場合を示す概念図であり、図７（ｂ）は、図６に示したバス切り替え装置を用いた携帯端末としての携帯電話（システム）が移動していない状態で赤外線通信させる場合を示す概念図である。図８は、図６に示したバス切り替え装置の動作を示すフローチャートの一例である。
携帯端末としての携帯電話は、主に、無線高周波部とベースバンド部とで構成されている（実際にはアンテナ、無線高周波部、ベースバンド部、メモリ、画像処理部、カメラ、ＬＣＤ、マイクロフォン、スピーカ、及びキー）が、本発明では説明を簡単にするため無線高周波部とベースバンド部とは省略されている。
【００６７】
図６は、本発明に係るバス切り替え装置の他の実施例を示すブロック図であり、汎用ＩＦの接続相手としてＧＰＳとＩＲＤＡ（Infrared Data Association）を接続した例を示している。また、システム構築時ＧＰＳ６−６はシステムが移動中のときに使用し、ＩＲＤＡ６−７はシステムが停止中のときに使用するものとし、セレクタの切り替え時にこの情報を使用する。
【００６８】
図８において、加速度センサーが速度が変化したか否かを検知し（ステップＳ２０）、加速度センサーが速度が変化したことを検知すると（ステップＳ２０／Ｙｅｓ）、加速度センサーがＣＰＵへ速度情報を通知する（ステップＳ２１）。
システムは停止中か移動中かを検知し（ステップＳ２２）、システムが図７（ａ）に示すように移動中であった場合（ステップＳ２２／移動中）、その情報をＣＰＵからセレクタに通知し（ステップＳ２６）、セレクタは汎用ＩＳがＧＰＳと接続されるよう切り替え（ステップＳ２７）、汎用ＩＦと接続先がＧＰＳとして通信を行う（ステップＳ２８）。
【００６９】
システムが図７（ｂ）に示すように停止中であることを検知した場合（ステップＳ２２／停止中）、その情報をＣＰＵからセレクタに通知し（ステップＳ２３）、セレクタは汎用ＩＦとＩＲＤＡが接続されるように切り替え（ステップＳ２４）、汎用ＩＦと接続先がＩＲＤＡとして通信を行う（ステップＳ２５）。
すなわち、セレクタが汎用ＩＦの接続先を切り替えたあとは、従来どおり通信を実行する。
【産業上の利用可能性】
【００７０】
本発明は、携帯電話、ＰＤＡ（Personal Digital Assistants）に利用できる。
【図面の簡単な説明】
【００７１】
【図１】本発明に係るバス切り替え装置の一実施例を示すブロック図である。
【図２】図１に示したバス切り替え装置の動作を示すフローチャートの一例である。
【図３】本発明に係るバス切り替え装置の他の実施例を示すブロック図の一例である。
【図４】（ａ）は、図１に示したバス切り替え装置を用いた携帯端末としての携帯電話をかばんの中に縦置きで持ち歩く場合を示す概念図であり、（ｂ）は、図１に示したバス切り替え装置を用いた携帯端末としての携帯電話を横向きにして、ＲＦＩＤリーダライタに触れる場合を示す概念図である。
【図５】図３に示したバス切り替え装置の動作を示すフローチャートの一例である。
【図６】本発明に係るバス切り替え装置の他の実施例を示すブロック図である。
【図７】（ａ）は、図６に示したバス切り替え装置を用いた携帯端末としての携帯電話（システム）が移動中の場合を示す概念図であり、（ｂ）は、図６に示したバス切り替え装置を用いた携帯端末としての携帯電話（システム）が移動していない状態で赤外線通信させる場合を示す概念図である。
【図８】図６に示したバス切り替え装置の動作を示すフローチャートの一例である。
【符号の説明】
【００７２】
１−１    ＬＳＩ
１−２    ＣＰＵ
１−３    汎用ＩＦ
１−４    加速度センサー
１−５    セレクタ
１−６〜１−８    ＨＷ（ハードウェア）
【図１】
2008244573.tif 000003
【図２】
2008244573.tif 000004
【図３】
2008244573.tif 000005
【図４】
2008244573.tif 000006
【図５】
2008244573.tif 000007
【図６】
2008244573.tif 000008
【図７】
2008244573.tif 000009
【図８】
2008244573.tif 000010